(57)【要約】  【課題】カラオケルームにおけるグループ参加の利用者によるカラオケ利用に際し、グループ参加者の中で、利用時間内をフルに参加できなかった利用者がいた場合でも、当該グループへの飲食物のルームサービス料金に対する利用者間での分散支払いの際に、当該利用者に不公平感を生じさせない公平な課金処理を行える課金システムの提供。  【解決手段】利用者認証手段（４）により、グループ参加の各利用者ＩＤを識別し、ログ時刻記録手段（１１ａ）により、当該利用者毎のカラオケ演奏装置（３）へのログイン時およびログアウト時の時刻を記録すると共に、配達時刻記録手段（１１ｂ）により、グループに対する個々のルームサービスの配達時刻を記録し、課金処理手段（１１ｃ）により、所定のルームサービスの配達時刻が任意の利用者の在室時刻内に含まれている場合、当該在室していた利用者それぞれに、当該所定のルームサービス料金を当該利用者の人数で除した平均金額を課金するシステムを構築した。【選択図】図４
2006072447.tif 000002
【特許請求の範囲】
【請求項１】
カラオケ演奏装置を備えたカラオケルームにおけるグループ参加の利用者によるカラオケの利用時、当該グループへの飲食物のルームサービスに対する課金システムであって、
（ア）利用者ＩＤを識別するための利用者認証手段と、
（イ）グループ参加の利用者毎にログイン時とログアウト時の時刻をそれぞれ記録するためのログ時刻記録手段と、
（ウ）前記グループに対する個々のルームサービスの配達時刻をそれぞれ記録するための配達時刻記録手段と、
（エ）所定のルームサービスの配達時刻が任意の利用者のログイン時からログアウト時までの在室時刻内に含まれている場合、当該在室していた利用者それぞれに、当該所定のルームサービス料金を当該利用者の人数で除した平均金額を課金するための課金処理手段、
を具備することを特徴とするカラオケルームサービス課金システム。
【発明の詳細な説明】
【技術分野】
【０００１】
本発明は、カラオケルームにおけるグループ参加の利用者によるカラオケの利用時、当該グループへの飲食物のルームサービスに対する課金システムに関する。
【背景技術】
【０００２】
近年、多数のカラオケルームを設置した、通称「カラオケボックス」と呼ばれる店舗が多く見られるようになり、かつては夜の酒場でのアトラクション的な要素を含んでいたカラオケも、今では老若男女を問わず楽しめるようになった。そして、最近のカラオケルームでは、カラオケ演奏の提供だけでなく、飲食物のルームサービスも行われている。
【０００３】
従来では、このような飲食物のルームサービスに関する技術も多々想到されており、例えば、特許文献１では、カラオケルームからの飲食物のルームサービスの注文を確実に管理し、また、精算時の正確性が確保でき、さらに、時刻や季節に応じてメニューの変更ができて、システム全体の拡張や変更を容易にする技術が開示されている。あるいは、特許文献２では、カラオケ利用者がディスプレイに表示される飲食物の画像を見ながら操作を行い、所望の飲食物を選択して発注し、その発注された飲食物の注文データを印刷した注文券を発行する技術が開示されている。
【特許文献１】特開平１０−２９３７９５号公報
【特許文献２】特開平１１−６６１５５号公報
【発明の開示】
【発明が解決しようとする課題】
【０００４】
カラオケルームの利用現況を見ると、単独利用よりもグループ参加での利用が多い。ところで、一般に、グループに対するルームサービスの注文は大皿料理や多種類の小皿料理や飲料からなり、利用者毎にルームサービス料金を小分けして課金することは難しく、通常は、グループ全体に対して課金され、その後、利用者間での均等な分散支払い（所謂「割り勘」）となる。この場合、グループメンバー全員が最初から最後まで一緒にカラオケルームを利用すれば問題はないのだが、一部メンバーの都合により、途中で参加する者や中座する者が現れることがある。すなわち、グループ参加者の中で、利用時間内をフルに参加できなかった利用者が現れることがあり、これでは、利用者によっては、当該グループに対するルームサービスの飲食物を食べられない時間帯が発生してしまうため、フルに参加できなかった利用者には不公平感が生じる。
【０００５】
そこで、本発明は、カラオケボックス内に設置されたカラオケルームにおけるグループ参加の利用者によるカラオケ利用に際し、グループ参加者の中で、利用時間内をフルに参加できなかった利用者がいた場合でも、当該グループへの飲食物のルームサービス料金に対する利用者間での分散支払いの際に、当該利用者に不公平感を生じさせない公平な課金処理を行える課金システムの提供を課題とする。
【課題を解決するための手段】
【０００６】
上記課題を鑑み、本発明者は、グループ参加の各利用者ＩＤを識別すると共に、当該利用者毎のカラオケ演奏装置へのログイン時およびログアウト時を確認し、それぞれの時刻を記録し、各利用者それぞれに、所定のルームサービスの配達時刻が任意の利用者のログイン時からログアウト時までの在室時刻内に含まれている場合、当該在室していた利用者それぞれに、当該所定のルームサービス料金を当該利用者の人数で除した平均金額を課金するシステムを構築することで、上記課題を解決できることを見出し、本発明のカラオケルームサービス課金システムを想到した。
【０００７】
すなわち、本発明のカラオケルームサービス課金システムは、カラオケ演奏装置を備えたカラオケルームにおけるグループ参加の利用者によるカラオケの利用時、当該グループへの飲食物のルームサービスに対する課金システムであって、
（ア）利用者ＩＤを識別するための利用者認証手段と、
（イ）グループ参加の利用者毎にログイン時とログアウト時の時刻をそれぞれ記録するためのログ時刻記録手段と、
（ウ）前記グループに対する個々のルームサービスの配達時刻をそれぞれ記録するための配達時刻記録手段と、
（エ）所定のルームサービスの配達時刻が任意の利用者のログイン時からログアウト時までの在室時刻内に含まれている場合、当該在室していた利用者それぞれに、当該所定のルームサービス料金を当該利用者の人数で除した平均金額を課金するための課金処理手段、
を具備することを特徴とする。
【発明の効果】
【０００８】
本発明のカラオケルームサービス課金システムによれば、利用者毎のカラオケ演奏装置へのログイン時およびログアウト時を確認し、それぞれの時刻を記録し、各利用者それぞれに所定のルームサービスの配達時刻が何れの利用者のログイン時からログアウト時までの在室時刻内に含まれていたか否かを考慮して課金することで、グループ参加者の中で、利用時間内をフルに参加できなかった利用者がいた場合でも、各利用者の在室時刻に応じて飲食物の摂取割合が概略的に想定できるため、当該グループへの飲食物のルームサービス料金に対する利用者間での分散支払いの際、当該利用者に不公平感を生じさせない公平な課金処理を行えるといった効果を奏する。
【発明を実施するための最良の形態】
【０００９】
以下、本発明のカラオケルームサービス課金システムにつき好適な実施例を挙げて説明するが、先ず、ここで、図１に示す、本発明のカラオケルームサービス課金システムの概略的構成図と、図２に示す、多機能カラオケリモコン装置の外観斜視図と、図３に示す、利用者別ログイン・ログアウト指示のインタフェイス表示画面に基づき、本システムの全体構成について説明する。
【実施例１】
【００１０】
図１は、本発明のカラオケルームサービス課金システムの概略的な全体構成を示すもので、本実施例のカラオケルームサービス課金システム（１）は、カラオケボックスの店舗内に設置された複数のカラオケルーム（５，５…）のそれぞれに備えられたカラオケ演奏装置（３，３…）と、これらと店舗内ＬＡＮ（Ｌ）を介して接続されたルームサービス課金管理装置（２）を主体としてなる。
【００１１】
ここで、本実施例におけるカラオケ演奏装置（３）について少々説明する。カラオケ演奏装置（３）には大容量のハードディスク装置（図示省略）が備えられ、これには多数のカラオケ楽曲のＭＩＤＩデータを主体とした伴奏音楽データや、歌詞画像の生成起源となる歌詞抽出データなどを含むカラオケデータ、さらには、所定形式の長時間分の動画データや、動画データの処理シーケンス（処理すべき背景動画データの格納場所と処理順番）を規定した台本データや演奏可能なカラオケ楽曲についての曲名やアーティスト名、発表年、歌詞の歌い出し部分などの目次情報が格納されている。そして、各種機能手段を制御して演奏装置全体を統括管理している中央制御部（図示省略）が備えられ、この中央制御部は、上記各楽曲のカラオケデータ、台本データ、あるいは目次情報を曲番号によって識別し、これをカラオケデータベースとして管理している。
【００１２】
そして、このカラオケ演奏装置（３）には、楽曲検索機能を備えた多機能カラオケリモコン装置（Ｒ）が付帯されており、このリモコン装置（Ｒ）をもって、利用者は赤外線信号によりカラオケ演奏装置（３）に所望の演奏予約コマンドを送信する。各リモコン装置（Ｒ，Ｒ…）は、その内蔵２次電池に充電するための専用架台（４）が必要となるが、この専用架台（４）には、充電手段の他、利用者ＩＤを識別し、当該利用者のログインを認証するための利用者認証手段が付帯されている。本実施例の利用者認証手段は、非接触のＩＣモジュールを搭載したＩＤカードの読み取り／書き込み装置であり、カードＩＤに紐付けされた利用者ＩＤを特定するものである。ただし、本発明はこれに限らず、例えば、ＩＣモジュールを携帯電話に内蔵させたＩＣ機能付き携帯電話や、近距離無線通信手段であるブルートゥース（blue tooth）機構を有する携帯電話、あるいはパスワードの入力装置や指紋や声紋などの生体識別機能に依る機構の利用者認証手段を利用しても構わない。
【００１３】
各カラオケ演奏装置（３，３…）は店舗内ＬＡＮ（Ｌ）に接続され、店舗内の情報処理システムに組み込まれており、ＬＡＮ（Ｌ）上の１台のコンピュータとして認識される。この情報処理システムは、店舗における会計や各カラオケルーム（５，５…）への入退室管理などの業務を行う管理コンピュータ（図示省略）などにより構成されていると共に、ＡＤＳＬやＩＳＤＮといった通信回線（Ｃ）介してインターネット（Ｎｉ）にも接続されており、カラオケ事業者が管理するＶＰＮ（Virtual Private Network）を用いて、通信カラオケシステム用のカラオケホスト装置（Ｈ）など、カラオケ事業者が管理する店舗外のコンピュータにも接続している。
【００１４】
具体的には、本実施例では、店舗内に１００ＢＡＳＥ−Ｔ規格のEthernet（登録商標）によるＬＡＮ（Ｌ）が敷設されており、このＬＡＮ（Ｌ）上の各カラオケ演奏装置（３，３…）はルータ（６）を介してインターネット（Ｎｉ）上のＶＰＮに接続されている。また、ＬＡＮ（Ｌ）上のコンピュータ間の通信にもＴＣＰ／ＩＰが採用されており、ルータ（６）は、その内蔵するＤＨＣＰ（Dynamic Host Configuration Protocol）サーバ機能によって、ＬＡＮ（Ｌ）に接続されている各カラオケ演奏装置（３，３…）にＩＰアドレスを割り当て、各演奏装置（３，３…）のＭＡＣ（Media Access Control）アドレスとＩＰアドレスとを対応付けしたテーブルを作成して記憶している。
【００１５】
本システムではルームサービス課金管理装置（２）が店舗内ＬＡＮ（Ｌ）に接続されており、各カラオケ演奏装置（３，３…）から、その利用者のログイン情報やログアウト情報を収集できる。このルームサービス課金管理装置（２）には、グループ参加の利用者毎にログイン時とログアウト時の時刻をそれぞれ記録するためのログ時刻記録手段、グループに対する個々のルームサービスの配達時刻をそれぞれ記録するための配達時刻記録手段、所定のルームサービスの配達時刻が任意の利用者のログイン時からログアウト時までの在室時刻内に含まれている場合、当該在室していた利用者それぞれに、当該所定のルームサービス料金を当該利用者の人数で除した平均金額を課金するための課金処理手段などが備えられ、これら手段が処理するための利用者情報は、利用者別時刻管理用データベース（Ｄ）に蓄積されている。
【００１６】
また、このルームサービス課金管理装置（２）は、店舗内ＬＡＮ（Ｌ）を介してＰＯＳ管理装置（Ｐｏ）にも接続されている。ＰＯＳ管理装置（Ｐｏ）は、ルームサービスを各部屋に配達した店舗従業員が所持しているハンディターミナルから配達信号を受けると、その配達時刻データを記録し、このＰＯＳ管理装置（Ｐｏ）から各カラオケルーム（５，５…）のグループに対するルームサービス毎の当該配達時刻データが転送され、これを配達時刻記録手段が記録する。なお、本実施例では、ＰＯＳシステムを利用しているが、本発明では必ずしも必要はなく、ルームサービス課金管理装置に直接、ルームサービスの配達時刻を入力するように構成しても構わない。
【００１７】
カラオケホスト装置（Ｈ）はカラオケ事業者専用コンピュータであり、各カラオケ演奏装置（３，３…）に向けて新譜楽曲についてのカラオケデータ、台本データ、目次情報などを適時に配信したり、各カラオケ演奏装置（３，３…）にて随時収拾される稼働ログなどを集信したりする。そして、各カラオケ演奏装置（３，３…）の中央制御部は、ネットワークインタフェイスを介して店舗ＬＡＮ（Ｌ）およびＶＰＮに接続し、このカラオケホスト装置（Ｈ）と通信し、当該ホスト装置（Ｈ）から送付されたカラオケデータを受け取ってカラオケデータベースの内容を変更したり、カラオケ演奏装置（３）側にて収集される稼働ログなどの各種情報を当該ホスト装置（Ｈ）に送信したりする。
【００１８】
次に、図２は多機能カラオケリモコン装置の外観斜視図であり、また、図３は利用者別ログイン・ログアウト指示のインタフェイス表示画面であり、これらをもって、グループ参加の各利用者によるログイン・ログアウト指示の方法と手順について述べる。
【００１９】
先ず、図２の（イ）と（ロ）は、それぞれリモコン装置（Ｒ）の正面斜視図と背面斜視図を示す。最近、カラオケ演奏装置用のリモコン装置も多機能化が進み、実質的に携帯可能なハンドヘルド型あるいはパームトップ型のコンピュータと同等なハードウエアに、楽曲検索機能やデジタルカメラ機能やインターネットを介してデータ通信する機能などを備えた携帯型コンピュータに変貌している。具体的には、このリモコン装置（Ｒ）は、一般的な利用であるリモコン送信器により出力したリモコン信号を至近のカラオケ演奏装置に送信し、カラオケ演奏装置がこの信号をリモコン受信器により受信して曲を演奏予約する他、例えば、デジタルカメラ機能を使って撮影した利用者の顔写真をカラオケ演奏装置のディスプレイに表示させたり、歌唱採点結果を当該リモコン装置に転送して、そのディスプレイに表示させたり、さらには、ＬＡＮを通じて店舗内のコンピュータと通信したり、インターネットを介した通信を行ったりすることも使用形態の一部となっている。
【００２０】
この多機能カラオケリモコン装置（Ｒ）は、（イ）に示すように、その正面には液晶ディスプレイ（ＬＣＤ；Ｒａ）とタッチセンサ（Ｒｂ）とを積層したタッチパネルを主体とした利用者インタフェイスが備えられている。そして、内蔵するフラッシュメモリ（図示省略）にはカラオケ演奏装置に蓄積されているものと同様の目次情報やタッチパネルに表示される各種画像情報などが蓄積されている。また、そのリモコン制御部（図示省略）はＣＰＵやＲＡＭ、ＲＯＭ、ビデオＲＡＭなどを含み、タッチパネルへの入力情報に基づいて各種画像情報や文字情報をビデオＲＡＭにビットマップ展開し、そのビットマップデータに基づいて、ＬＣＤドライバを駆動してタッチパネルに適宜な情報を表示する。さらに、フラッシュメモリに蓄積されている目次情報を楽曲索引データベースとして管理するためのプログラムなども実装している。また、前述した専用架台に装着されると、（ロ）に示すように、その背面の下方所定部にはＬＡＮポート（Ｒｃ）が設けられ、ＬＡＮ接続ケーブルに結線されるようになっており、それによって、ＬＡＮを介してルームサービス課金管理装置と通信したり、ＶＰＮを介してカラオケホスト装置などと通信したりできる。
【００２１】
次に、図３は、多機能カラオケリモコン装置の液晶ディスプレイ（Ｒａ）とタッチセンサ（Ｒｂ）とを積層したタッチパネルの表示画面を示しており、このタッチパネルが利用者別にログインとログアウトを指示するための利用者インタフェイスとなっている。この表示画面には、利用者別顔写真付きアイコン列（２０）や「ログイン」アイコン（２１）、「ログアウト」アイコン（２２）などが設けられている。このリモコン装置を前述した専用架台に装着した状態で、グループ参加の利用者は、先ず、「ログイン」アイコン（２１）を選択した後、当該専用架台に付帯したＩＤカードの読み取り／書き込み装置（利用者認証手段）に自らのＩＤカードを装填することにより、これに紐付けされた利用者ＩＤが識別されると同時にログインが認証される。ログインが認証されると、カラオケホスト装置に予め登録された利用者の顔写真、あるいは予め登録されていない場合、デジタルカメラ機能を使って撮影した利用者の顔写真を新たに登録して、順次、所定の利用者別顔写真付きアイコン（２０ａ）を利用者毎に作成する。
【００２２】
この利用者インタフェイスを利用すれば、例えば、演奏予約の際、利用者は自らの顔写真付きアイコン（２０ａ）を選択すれば、その演奏予約が当該利用者によるものであるとの表示ができたり、歌唱力の採点を行う場合でも、歌唱した当該利用者の採点ランキング情報を表示したり、登録したりできる。そして、利用者がログアウトしたい場合には、「ログアウト」アイコン（２２）を選択し、続けて自らの顔写真付きアイコン（２０ａ）を選択すれば当該利用者がログアウトしたと判断される。そして、このログイン情報とログアウト情報には、カラオケ演奏装置ＩＤと利用者ＩＤとその時刻データが付帯されており、これらのデータはログイン時およびログアウト時にルームサービス課金管理装置に転送され、利用者別にログイン時からログアウト時までの在室時刻が記録されて管理される。
【００２３】
以下、図４に示す、ルームサービス課金管理装置の概略的ブロック構成図と、図５に示す、利用者管理テーブルの概念的構成図に基づき、請求項１記載の（イ）から（エ）の構成について詳述する。
【００２４】
図４は、本システムを構成するルームサービス課金管理装置のブロック構成図である。本実施例のルームサービス課金管理装置（２）は、利用者認証手段（４）を付帯したカラオケ演奏装置（３）とＬＡＮ（Ｌ）を経由して接続されていると共に、ＬＡＮ（Ｌ）を介してＰＯＳ管理装置（Ｐｏ）にも接続されている。そして、通信制御手段（１０）を介してカラオケ演奏装置（３）から転送されてきたログイン情報あるいはログアウト情報は、ログ時刻記録手段（１１ａ）により、ハードディスク（１２）に設けられた利用者別時刻管理用データベース（Ｄ）にて管理され、一方、ＰＯＳ管理装置（Ｐｏ）から転送されてきたルームサービス毎の配達時刻データは、配達時刻記録手段（１１ｂ）により、これも利用者別時刻管理用データベース（Ｄ）にて管理される。
【００２５】
この利用者別時刻管理用データベース（Ｄ）は利用者管理テーブル（Ｔ）にて構成されており、さらに、この利用者管理テーブル（Ｔ）は、図５に示すように、利用者が属するグループあるいはグループが利用しているカラオケルームを擬似的に特定できるデータ、すなわち、当該グループが利用しているカラオケ演奏装置を特定するための「演奏装置ＩＤ」フィールド（ｆ１）のデータに紐付けされた、利用者個人を特定するための「利用者ＩＤ」フィールド（ｆ２）、そのログイン時刻を示す「ログイン時刻」フィールド（ｆ３）と、そのログアウト時刻を示す「ログアウト時刻」フィールド（ｆ４）、および所定のルームサービスの発生毎に各ルームサービスの配達時刻が記録される「ルームサービス配達時刻」フィールド（ｆ５）などから構成されている。
【００２６】
この利用者管理テーブル（Ｔ）は、グループ参加の利用者によるカラオケ利用におけるルームサービス料金に基づき、グループが個人毎の在室時刻に応じた公平な分散支払いを所望し、本システムを利用する旨の指示を行い、かつ、そのグループに属する利用者のログイン情報が収集される毎に形成される。なお、本システムを利用するか否かはグループの意志によるものであり、本システムを利用する旨の指示方法は、前述した利用者インタフェイスを利用したり、店舗従業員に直接申告するなどで良く、本発明では特に限定はしない。
【００２７】
そして、課金処理手段（１１ｃ）は、利用者管理テーブル（Ｔ）の各ルームサービス（本実施例では「サービス１」から「サービス４」の４回分）の時刻が記録される「ルームサービス時刻」フィールド（ｆ５）の各データに基づき、各利用者それぞれに、所定のルームサービスの配達時刻が任意の利用者のログイン時からログアウト時までの在室時刻内に含まれている場合、当該在室していた利用者それぞれに、当該所定のルームサービス料金を当該利用者の人数で除した平均金額を課金し、その処理結果をモニタ（Ｍ）に表示したり、プリンタ（Ｐ）にて伝票を出力したりして、本システムを利用したグループに提示する。
【００２８】
以下、図６に示す、利用者別課金処理の概念説明図と、図７に示す、利用者別在室時刻に基づく課金表示例図に基づき、請求項１記載の（イ）から（エ）の構成について、さらに詳述する。
【００２９】
図６の（Ａ）は、利用者別の在室時刻とルームサービス別の配達時刻との関係を表すもので、本実施例のグループは利用者ａ、利用者ｂ、利用者ｃ、利用者ｄ、利用者ｅの５名で構成されている。そして、利用者毎にログイン時とログアウト時の時刻からそれぞれの利用者の在室時刻が記録されている。また、本実施例では、ルームサービスは「サービス１」、「サービス２」、「サービス３」、「サービス４」の４回行われ、それぞれの配達時刻が記録されている。そして、各ルームサービスの注文時、その時刻に在室している利用者が照会される。具体的には、「サービス１」の注文時には、利用者ａ、利用者ｂ、利用者ｅの３名が在室し、「サービス２」と「サービス３」の注文時には、利用者全員５名が在室し、「サービス４」の注文時には、利用者ａ、利用者ｃ、利用者ｄ、利用者ｅの４名が在室しているのが、それぞれ記録された在室時刻により照会される。
【００３０】
そして、図６の（Ｂ）に示すように、各ルームサービス料金（円）を、「サービス１」をＧ１、「サービス２」をＧ２、「サービス３」をＧ３、「サービス４」をＧ４とすると、これらの料金に基づき、当該グループが本システムを利用した場合は、図６の（Ｃ）に示すように、利用者ａはＧ１×（１／３）＋Ｇ２×（１／５）＋Ｇ３×（１／５）＋Ｇ４×（１／４）、利用者ｂはＧ１×（１／３）＋Ｇ２×（１／５）＋Ｇ３×（１／５）、利用者ｃはＧ２×（１／５）＋Ｇ３×（１／５）＋Ｇ４×（１／４）、利用者ｄはＧ２×（１／５）＋Ｇ３×（１／５）＋Ｇ４×（１／４）、利用者ｅはＧ１×（１／３）＋Ｇ２×（１／５）＋Ｇ３×（１／５）＋Ｇ４×（１／４）となる。
【００３１】
具体的には、例えば、ルームサービス料金Ｇ１を１,８００、Ｇ２を２,５００、Ｇ３を３,８００、Ｇ４を１,２００とすると、本システムを利用しない場合は、グループ総計９,３００円で均等な分散支払いでは各利用者一律に１,８６０円となるところ、利用者ａは２，１６０円、利用者ｂは１，８６０円、利用者ｃは１，５６０円、利用者ｄは１，５６０円、利用者ｅは２，１６０円となり、利用者それぞれに、当該所定のルームサービス料金を利用者の人数で除した平均金額を課金するので、本グループ参加者の中で利用時間内をフルに参加できなかった利用者ｂ、利用者ｃ、利用者ｄに不公平感を生じさせない公平な課金処理を行える。
【００３２】
そして、本システムを利用した場合には、図７に示すように、ルームサービス課金管理装置が付帯するプリンタにて、各利用者の在室時刻に基づく分散課金を示す伝票（３０）が出力される。この伝票（３０）には、グループ全体のルームサービスの合計料金表示（３１）の他に、本システムに基づく課金表示（３２）が、各利用者の氏名欄（３２ａ）とその課金額（３２ｂ）をもってプリントされている。
【００３３】
以上、詳述したように、本発明のカラオケルームサービス課金システムによれば、利用者毎のカラオケ演奏装置へのログイン時およびログアウト時を確認し、それぞれの時刻を記録し、各利用者それぞれに所定のルームサービスの配達時刻が何れの利用者のログイン時からログアウト時までの在室時刻内に含まれていたか否かを考慮して課金することで、グループ参加者の中で、利用時間内をフルに参加できなかった利用者がいた場合でも、各利用者の在室時刻に応じて飲食物の摂取割合が概略的に想定できるため、当該グループへの飲食物のルームサービス料金に対する利用者間での分散支払いの際、当該利用者に不公平感を生じさせない公平な課金処理を行える。
【図面の簡単な説明】
【００３４】
【図１】本発明のカラオケルームサービス課金システムの概略的構成図。
【図２】多機能カラオケリモコン装置の外観斜視図。
【図３】利用者別ログイン・ログアウト指示のインタフェイス表示画面。
【図４】ルームサービス課金管理装置の概略的ブロック構成図。
【図５】利用者管理テーブルの概念的構成図。
【図６】利用者別課金処理の概念説明図。
【図７】利用者別在室時刻に基づく課金表示例図。
【符号の説明】
【００３５】
１  カラオケルームサービス課金システム
２  ルームサービス課金管理装置
３  カラオケ演奏装置
４  利用者認証手段
５  カラオケルーム
１１  中央制御部
１１ａ  ログ時刻記録手段
１１ｂ  配達時刻記録手段
１１ｃ  課金処理手段
Ｄ  利用者別時刻管理用データベース
Ｔ  利用者管理テーブル
Ｐｏ  ＰＯＳ管理装置
【図１】
2006072447.tif 000003
【図２】
2006072447.tif 000004
【図３】
2006072447.tif 000005
【図４】
2006072447.tif 000006
【図５】
2006072447.tif 000007
【図６】
2006072447.tif 000008
【図７】
2006072447.tif 000009